(57)【特許請求の範囲】
【請求項１】
車室内のフロア部に固定設置される固定レールと、
前記固定レールにスライド可能に保持される可動レール側部材と、
前記可動レール側部材に取り付けられるシート本体側部材と、
前記可動レール側部材と前記シート本体側部材の間に介装される振動吸収体と、を備えた車両のシート支持部構造であって、
前記振動吸収体は、
前記可動レール側部材と前記シート本体側部材のいずれか一方の部材である第１の部材に軸方向の端面を突き当てて取り付けられる内筒と、
外周部が、前記可動レール側部材と前記シート本体側部材のいずれか他方の部材である第２の部材に取り付けられるとともに、内周部が前記内筒に固定されるゴム状弾性部材と、を備え、
前記第１の部材は、前記内筒を貫通して当該内筒を前記第１の部材の本体部に取り付ける締結部材を含み、
前記締結部材は、前記内筒の前記第１の部材の本体部と逆側の端面に当接し、前記シート本体側部材の前記可動レール側部材から離反する方向の変位に応じて前記可動レール側部材に近接するフランジ部を有し、
前記ゴム状弾性部材の軸方向両側の端部は、前記第１の部材の前記本体部と前記フランジ部に対して、当接可能な軸方向の隙間をもって対峙し、
前記ゴム状弾性部材の軸方向両側の前記端部は、当該ゴム状弾性部材の軸方向の端面の他の部分に対して軸方向外側に突出する突部によって構成され、
前記ゴム状弾性部材の前記フランジ部に当接する前記突部は、前記ゴム状弾性部材の前記第１の部材の前記本体部に当接する前記突部よりも径方向外側に配置され、かつ、前記第１の部材の前記本体部に当接する前記突部よりも大容積に形成されていることを特徴とする車両のシート支持部構造。
【請求項２】
前記内筒の端面が突き当てられる前記第１の部材の面は、前記ゴム状弾性部材の軸方向の端部が対峙する面と連続した平面であり、前記ゴム状弾性部材の軸方向の端部は、前記内筒の端面に対して軸方向に窪んだ位置に配置されていることを特徴とする請求項１に記載の車両のシート支持部構造。
【請求項３】
前記振動吸収体は、前記ゴム状弾性部材の外周部を保持し、かつ前記第２の部材に固定される外筒を有し、
前記外筒は、前記ゴム状弾性部材の前記第１の部材に対して当接可能な前記突部よりも軸方向内側領域を支持するように設けられていることを特徴とする請求項１または２に記載の車両のシート支持部構造。
【発明の詳細な説明】
【技術分野】
【０００１】
この発明は、車両のシート支持部構造に関するものである。
【背景技術】
【０００２】
車両用シートの多くは車体フロアに対して剛的に支持されている。車両では様々な周波数領域の振動が発生するが、車両用シートの固有振動数に近いエンジンのアイドリング振動や走行振動等の振動が車体のフロア部に入力されると、シートが振動する原因となり易い。
このため、これに対処する車両用シートの支持部構造として、車室内のフロア部とシート本体の間にゴム状弾性部材を含む振動吸収体を介装したものが案出されている（例えば、特許文献１参照）。
【０００３】
特許文献１に記載のシート支持部構造は、車室内の固定レールに前後スライド可能に保持された可動レール側部材に、シート本体側部材が振動吸収体を介して取り付けられている。振動吸収体は、内筒と外筒の間に柱状のゴム状弾性部材が取り付けられ、外筒がシート本体側部材の取付孔に嵌合固定されるとともに、内筒が可動レール側部材に締結部材であるボルト及びナットによって固定されている。
内筒は、軸方向の一方側の端面を可動レール側部材に当接させた状態で、軸方向の他端側の端面からボルトの軸部が挿入される。可動レール側部材を貫通したボルトの軸部にはナットが締め込まれる。このとき、ボルトの頭部側に設けられたフランジ部が内筒の軸方向の他端側の端面とゴム状弾性部材の軸方向の他端側の端部に当接し、内筒の軸方向の一方側の端面とゴム状弾性部材の軸方向の一端側の端部とが可動レール側部材に当接する。
【０００４】
特許文献１に記載のシート支持部構造の場合、車両振動を受けて可動レール側部材が振動すると、振動吸収体の内筒と外筒の間に介装されたゴム状弾性部材が入力振動に応じて弾性変形し、それによってシート本体側に伝達される振動を吸収する。また、振動吸収体のゴム状弾性部材の軸方向の各端部は、可動レール側部材の端面とボルトの頭部側のフランジ部とに当接しており、シート本体側部材の大きな上下変動(上下方向の衝撃荷重)を弾性的に吸収できるようになっている。
【先行技術文献】
【特許文献】
【０００５】
【特許文献１】国際公開第２０１４／００７０１１号
【発明の概要】
【発明が解決しようとする課題】
【０００６】
しかし、上記従来のシート支持部構造においては、ゴム状弾性部材の軸方向の両側の端部が可動レール側部材の端面とボルトの頭部のフランジ部とに当接しているため、ゴム状弾性部材の軸方向のばね定数を充分に下げることが難しい。このため、ゴム状弾性部材の軸方向のばね定数をより小さく設定し、シートの振動吸収性能を高めることが望まれている。
【０００７】
そこでこの発明は、シートの振動吸収性能をより高めることができる車両のシート支持部構造を提供しようとするものである。
【課題を解決するための手段】
【０００８】
この発明に係る車両のシート支持部構造は、上記課題を解決するために、車室内のフロア部（例えば、実施形態のフロア部３）に固定設置される固定レール（例えば、実施形態の固定レール１５）と、前記固定レールにスライド可能に保持される可動レール側部材（例えば、実施形態の下フレームブロック１３Ｌ）と、前記可動レール側部材に取り付けられるシート本体側部材（例えば、実施形態の上フレームブロック１３Ｕ）と、前記可動レール側部材と前記シート本体側部材の間に介装される振動吸収体（例えば、実施形態の防振ブロック１４）と、を備えた車両のシート支持部構造であって、前記振動吸収体は、前記可動レール側部材と前記シート本体側部材のいずれか一方の部材である第１の部材（例えば、実施形態の上フレームブロック１３Ｕ）に軸方向の端面を突き当てて取り付けられる内筒（例えば、実施形態の内筒２４，変位規制フランジ３０）と、外周部が、前記可動レール側部材と前記シート本体側部材のいずれか他方の部材である第２の部材（例えば、実施形態の下フレームブロック１３Ｌ）に取り付けられるとともに、内周部が前記内筒に固定されるゴム状弾性部材（例えば、実施形態のゴム状弾性部材２５）と、を備え、前記第１の部材は、前記内筒を貫通して当該内筒を前記第１の部材の本体部に取り付ける締結部材（例えば、実施形態のボルト２７，ウェルドナット２９，変位規制フランジ３０）を含み、前記締結部材は、前記内筒の前記第１の部材の本体部と逆側の端面に当接し、前記シート本体側部材の前記可動レール側部材から離反する方向の変位に応じて前記可動レール側部材に近接するフランジ部（例えば、実施形態の変位規制フランジ３０）を有し、前記ゴム状弾性部材の軸方向両側の端部は、前記第１の部材の前記本体部と前記フランジ部に対して、当接可能な軸方向の隙間（例えば、実施形態の隙間ｄ１，ｄ２）をもって対峙し、前記ゴム状弾性部材の軸方向両側の前記端部は、当該ゴム状弾性部材の軸方向の端面の他の部分に対して軸方向外側に突出する突部（例えば、実施形態の突部３１，３１Ａ）によって構成され、前記ゴム状弾性部材の前記フランジ部に当接する前記突部は、前記ゴム状弾性部材の前記第１の部材の前記本体部に当接する前記突部よりも径方向外側に配置され、かつ、前記第１の部材の前記本体部に当接する前記突部よりも大容積に形成されるようにした。
【０００９】
これにより、車両振動を受けて可動レール側部材が振動すると、内筒と第２の部材の間に介装されたゴム状弾性部材が弾性変形し、シート本体側部材に伝達される振動が吸収される。このとき、ゴム弾性部材は、主に軸方向に沿うようにせん断荷重を受けて振動を吸収することになるが、ゴム状弾性部材の軸方向両側の端部が第１の部材に対して隙間をもって対峙しているため、ゴム状弾性部材の軸方向のばね定数は充分に小さくなっている。このため、シートの振動を充分に吸収することができる。また、衝撃の入力によってシート本体側部材が可動フレーム側部材に対して大きく変位しようとすると、ゴム状弾性部材の軸方向の端部が第１の部材に当接する。このとき、ゴム状弾性部材の端部が軸方向で弾性変形し、荷重を吸収しつつ第１の部材と第２の部材の過大な相対変位を規制するようになる。
また、衝撃の入力時には、ゴム状弾性部材の第１の部材の本体部と逆側の軸方向の端部がフランジ部と当接することにより、第１の部材と第２の部材の過大な相対変位が弾性的に規制されるようになる。
また、衝撃の入力時には、ゴム状弾性部材の軸方向の端部に設けられた突部が第１の部材に当接するため、第１の部材に対するゴム状弾性部材の軸方向の端部の接触面積が小さくなる。このため、ゴム状弾性部材の軸方向の端部が第１の部材に当接する際の衝撃が緩和される。
【００１０】
前記内筒の端面が突き当てられる前記第１の部材の面（例えば、実施形態の下面１３Ｕ−ａ，上面３０ａ）は、前記ゴム状弾性部材の軸方向の端部が対峙する面と連続した平面であり、前記ゴム状弾性部材の軸方向の端部は、前記内筒の端面に対して軸方向に窪んだ位置に配置されるようにしても良い。
この場合、通常の車両振動の入力時には、ゴム状弾性部材の軸方向の端部が、対峙する第１の部材の平面に対して非接触状態となるため、ゴム状弾性部材のばね定数が充分に小さくなり、シートの振動が充分に吸収される。一方、衝撃の入力時には、内筒の端面に対して軸方向に窪んだ位置に配置されていたゴム状弾性部材の軸方向の端部が、第１の部材の平面に当接し、それによって第１の部材と第２の部材の過大な相対変位が弾性的に規制される。
【００１３】
前記振動吸収体は、前記ゴム状弾性部材の外周部を保持し、かつ前記第２の部材に固定される外筒（例えば、実施形態の外筒２３）を有し、前記外筒は、前記ゴム状弾性部材の前記第１の部材に対して当接可能な前記突部よりも軸方向内側領域を支持するように設けられるようにしても良い。
この場合、ゴム状弾性部材の突部の軸方向内側領域が外筒の一部によって支持されるため、衝撃の入力時に、ゴム状弾性部材の突部が第１の部材と当接する際のゴム状弾性部材の軸方向の安定した変形と、第１の部材と第２の部材の相対変位の確実な規制を実現することができる。
【発明の効果】
【００１４】
この発明によれば、ゴム状弾性部材の軸方向両側の端部が、第１の部材に対して当接可能な軸方向の隙間をもって対峙していることから、通常の車両振動に対しては、ゴム状弾性部材の小さいばね定数によって振動を充分に吸収することができ、しかも、衝撃の入力時にはゴム状弾性部材の軸方向の端部が第１の部材に当接することにより、第１の部材と第２の部材の過大な相対変位を弾性的に規制することができる。したがって、この発明によれば、シートの振動吸収性能をより高めることができる。
【図面の簡単な説明】
【００１５】
【図１】この発明の一実施形態に係る車両の車室内を示す斜視図である。
【図２】この発明の一実施形態に係るシート支持部の縦断面図である。
【図３】この発明の一実施形態に係るシート支持部の図２のＩＩＩ部の拡大図である。
【図４】この発明の一実施形態に係る振動吸収体（防振ブロック）の斜視図である。
【図５】この発明の一実施形態に係る振動吸収体（防振ブロック）の斜視図である。
【発明を実施するための形態】
【００１６】
以下、この発明の一実施形態を図面に基づいて説明する。なお、図面において、矢印ＦＲは車両１の前方を指し、矢印ＵＰは車両１の上方を、矢印ＬＨは車両１の左側方をそれぞれ指すものとする。また、以下の説明においては、特別に断らない限り、前，後や上，下、左，右については、車両１に対しての前，後や上，下、左，右を意味するものとする。
【００１７】
図１は、車室１ａ内に設置された車両用シート１０（以下「シート１０」と呼ぶ。）とその支持部を示す図である。
この実施形態に係る車両１は、車室１ａ内のフロア部３上に前後方向に複数列のシートを備えたミニバンタイプの車両である。図１では、二列目のシート１０のみを示している。また、二列目のシート１０は、車幅方向の右側と左側に所定距離離間してフロア部３上に設置されている。フロア部３上の一対のシート１０，１０の車幅方向内側の端部間には乗員が通り抜け可能な通路５０が設けられている。
一対のシート１０，１０は、車体左右について対称に形成されているが、基本構造はいずれも同様とされている。したがって、以下では、右側のシート１０とその支持構造について詳述し、左側のシート１０とその支持構造については詳細な説明を省略するものとする。
【００１８】
図２は、シート１０とその支持部の縦断面を示す図である。
シート１０は、乗員の臀部及び腿部を支持するシートクッション１１の後端部に、乗員の腰部及び背部を支持するシートバック１２が傾動可能に連結されている。シートクッション１１は、車体前後方向に沿って延出する左右一対の側部フレーム部１３，１３を有している。
【００１９】
側部フレーム部１３は、図示しないシートパンやシートバック１２を支持する上フレームブロック１３Ｕと、上フレームブロック１３Ｕの下方に位置される下フレームブロック１３Ｌと、を有し、上フレームブロック１３Ｕと下フレームブロック１３Ｌの間が前後一対の防振ブロック１４，１４(振動吸収体)を介して相互に連結されている。
この実施形態においては、シート１０のうちの上フレームブロック１３Ｕと、それよりも上方側に位置されている部材がシート本体１０−ａを構成している。上フレームブロック１３Ｕはシート本体側部材を構成し、下フレームブロック１３Ｌは可動レール側部材を構成している。
【００２０】
また、車室１ａ内のフロア部３上には、車体前後方向に沿う一対の固定レール１５，１５が固定設置されている。固定レール１５には、車体前後方向に沿い上方側に開口するガイド溝１６が形成され、そのガイド溝１６に可動レール１７が車体前後方向に摺動可能にかつ、上下に抜け止めされた状態で保持されている。
【００２１】
可動レール１７は、対応する固定レール１５の内側に配置されて固定レール１５の内部に摺動自在に係合されるレール本体部１７ａと、レール本体部１７ａからガイド溝１６を通して固定レール１５の上方に突出する台座部１７ｂと、を有している。なお、ここでは詳細な説明は省略するが、レール本体部１７ａと、対応する固定レール１５の間には、シート１０（シート本体１０−ａ）の前後操作位置をロックするための図示しないスライドロック機構が設けられている。
【００２２】
各可動レール１７の台座部１７ｂの上部には、シート本体１０−ａの左右の側部フレーム部１３の下端が締結固定されている。具体的には、各可動レール１７の台座部１７ｂには、対応する側部フレーム部１３の下フレームブロック１３Ｌがそれぞれ重ねられ、その各下フレームブロック１３Ｌの前後が可動レール１７に対してボルト１８によって締結されている。
【００２３】
図３は、図２のＩＩＩ部を拡大して示した図であり、図４，図５は、防振ブロック１４の斜視図である。図４は、防振ブロック１４を上方側から見た斜視図であり、図５は、防振ブロック１４を下方側から見た斜視図である。
防振ブロック１４は、図３に示すように、下フレームブロック１３Ｌの上壁の取付孔２６に嵌合固定される金属製の外筒２３と、上フレームブロック１３Ｕの下壁に固定される金属製の内筒２４と、外周部が外筒２３に加硫接着されるとともに内周部が内筒２４に加硫接着される円環状のゴム状弾性部材２５と、を有している。
【００２４】
内筒２４は、下方側からその内部にボルト２７の軸部２７ａが挿通され、そのボルト２７によって上フレームブロック１３Ｕの下壁に締結固定される。より具体的には、上フレームブロック１３Ｕの下壁には、ボルト２７の軸部２７ａの挿通される取付孔２８と、ボルト２７の軸部２７ａが螺合されるウェルドナット２９が設けられており、下方側から内筒２４内に挿通されたボルト２７の軸部２７ａの先端が取付孔２８を貫通してウェルドナット２９に締め込まれる。また、ボルト２７の軸部２７ａには、予め円板状の変位規制フランジ３０（フランジ部）が外嵌され、内筒２４をボルト２７によって上フレームブロック１３Ｕの下壁に取り付けるときに、変位規制フランジ３０がボルト２７の頭部２７ｂと内筒２４の端面の間に挟み込まれるようになっている。したがって、ボルト２７の締め込みにより、内筒２４の軸方向の一方の端面は上フレームブロック１３Ｕの下面１３Ｕ−ａに当接し、内筒２４の軸方向の他方の端面は変位規制フランジ３０の上面３０ａに当接する。
この実施形態においては、ボルト２７とウェルドナット２９と変位規制フランジ３０とが締結部材を構成している。なお、変位規制フランジ３０はボルト２７の頭部２７ｂに一体に形成するようにしても良い。また、この実施形態においては、上フレームブロック１３Ｕと、当該上フレームブロック１３Ｕと一体に変位する部材が第１の部材を構成し、下フレームブロック１３Ｌと、当該下フレームブロック１３Ｌと一体に変位する部材が第２の部材を構成している。
【００２５】
ゴム状弾性部材２５の軸方向の一方の端部（防振ブロック１４が設置された状態で上側となる側の端部）には、正面視が略長方形状の４つ突部３１が円周方向に等間隔に離間して設けられている。突部３１は、ゴム状弾性部材２５の軸方向の端面の他の部位２５ａに対して軸方向外側に突出し、かつ、内筒２４の同側の軸方向の端面に対して軸方向に窪んだ位置に配置されている。したがって、内筒２４が上フレームブロック１３Ｕにボルト２７によって取り付けられた状態では、突部３１は、上フレームブロック１３Ｕの下面１３Ｕ−ａに対して、当接可能な軸方向の隙間ｄ１をもって対峙する。
ただし、突部３１は、シート１０をフロア部３に設置した状態において、シート本体１０−ａの自重によって上フレームブロック１３Ｕの下面１３Ｕ−ａに僅かに接するように設定しても良い。
【００２６】
また、ゴム状弾性部材２５の軸方向の他方の端部（防振ブロック１４が設置された状態で下側となる側の端部）には、正面視が略長方形状の４つ突部３１Ａが円周方向に等間隔に離間して設けられている。突部３１Ａは、ゴム状弾性部材２５の軸方向の端面の他の部位２５ｂに対して軸方向外側に突出し、かつ、内筒２４の同側の軸方向の端面に対して軸方向に窪んだ位置に配置されている。突部３１Ａは、変位規制フランジ３０の上面３０ａに対峙するように配置されている。したがって、内筒２４が上フレームブロック１３Ｕにボルト２７によって取り付けられた状態では、突部３１Ａは、変位規制フランジ３０の上面３０ａに対して、当接可能な軸方向の隙間ｄ２をもって対峙する。
【００２７】
外筒２３は、軸方向の一端側に円環状の内向きフランジ２３ａが延設されるとともに、軸方向の他端側に円環状の外向きフランジ２３ｂが延設されている。内向きフランジ２３ａは、ゴム状弾性部材２５の軸方向の一端寄りに埋設され、ゴム状弾性部材２５の突部３１よりも軸方向内側領域を支持するようになっている。また、外向きフランジ２３ｂは、ゴム状弾性部材２５の軸方向の他端寄りに配置され、ゴム状弾性部材２５の突部３１Ａの背部側に加硫接着されている。外向きフランジ２３ｂは、ゴム状弾性部材２５の突部３１Ａよりも軸方向内側領域を支持する。
ゴム状弾性部材２５の軸方向の他端側の突部３１Ａは、ゴム状弾性部材２５の軸方向の一端側の突部３１よりも径方向外側に配置され、かつ、軸方向の一端側の突部３１よりも大容積に形成されている。ただし、軸方向の一端側の突部３１と他端側の突部３１Ａは、円周方向のほぼ同位置に配置されている。
【００２８】
ゴム状弾性部材２５は、上フレームブロック１３Ｕと下フレームブロック１３Ｌの間に介装され、車室１ａ内のフロア部３に入力される所定周波数域の振動を低減する。この実施形態の場合、フロア部３に入力される振動のうち、エンジンのアイドリング振動（２０〜２５Ｈｚの振動周波数領域の振動）や走行振動（１５〜２０Ｈｚの振動周波数領域の振動）等を低減対象としてゴム状弾性部材２５の振動吸収特性がチューニングされている。
【００２９】
この実施形態に係るシート支持構造を採用した車両において、エンジン振動や走行振動等の振動が可動レール１７を介してシート１０の下フレームブロック１３Ｌに入力されると、下フレームブロック１３Ｌと上フレームブロック１３Ｕの間に介装された防振ブロック１４のゴム状弾性部材２５が入力振動に応じて弾性変形し、上フレームブロック１３Ｕ側に伝達される振動を吸収する。
【００３０】
このとき、ゴム状弾性部材２５は上下方向の振動成分を受けて主に軸方向に沿ってせん断変形するが、この実施形態に係るシート支持構造においては、ゴム状弾性部材２５の軸方向の端部（突部３１，３１Ａ）が、上フレームブロック１３Ｕと変位規制フランジ３０に対して、軸方向の隙間ｄ１，ｄ２をもって対峙しているため、ゴム状弾性部材２５の軸方向のばね定数は充分に小さくなっている。なお、ゴム状弾性部材２５の軸方向の一方の端部（突部３１）が、シート１０の設置状態で上フレームブロック１３Ｕの下面１３Ｕ−ａに僅かに接する設定である場合においても、ゴム状弾性部材２５の軸方向の他方の端部（突部３１Ａ）が、変位規制フランジ３０の上面３０ａに対して、軸方向の隙間をもって対峙しているため、ゴム状弾性部材２５の軸方向のばね定数は充分に小さくなる。したがって、通常の車両振動は、ゴム状弾性部材２５によって充分に吸収することができる。
【００３１】
また、走行時に路面上の突部に乗り上げる等して車両１に大きな衝撃が入力された場合に、シート本体１０−ａが下フレームブロック１３Ｌに対して大きく上下に変位しようとすると、ゴム状弾性部材２５の突部３１，３１Ａが、上フレームブロック１３Ｕの下面１３Ｕ−ａや変位規制フランジ３０の上面３０ａに当接し、このときシート本体１０−ａの上下方向の過大な変位が弾性的に規制される。
【００３２】
また、この実施形態に係るシート支持部構造においては、内筒２４の軸方向の各端面が突き当てられる上フレームブロック１３Ｕの下面１３Ｕ−ａと変位規制フランジ３０の上面３０ａとが、ゴム状弾性部材２５の突部３１，３１Ａが対峙する面と連続とした平面とされ、ゴム状弾性部材２５の突部３１，３１Ａが内筒２４の端面に対して軸方向に窪んだ位置に配置されている。このため、上フレームブロック１３Ｕや変位規制フランジ３０を屈曲変形させて、ゴム状弾性部材２５の突部３１，３１Ａを対峙する面から離間させる場合と異なり、製造の容易な簡単な構造によって上記の効果を得ることができる。
【００３３】
また、ゴム状弾性部材２５の軸方向の端部には必ずしも突部３１，３１Ａを設ける必要はないが、この実施形態に係るシート支持部構造のように、ゴム状弾性部材２５の軸方向の端部に突部３１，３１Ａを設け、突部３１，３１Ａを対峙する面から所定の隙間ｄ１，ｄ２をもって離間させるようにした場合には、衝撃の入力時における対峙する面との接触面積を小さくすることができる。このため、衝撃の入力時にゴム状弾性部材２５の軸方向の端部が対峙する面に当接する際の衝撃を緩和することができる。
【００３４】
さらに、この実施形態に係るシート支持部構造においては、内筒２４の締結固定時に内筒２４の上フレームブロック１３Ｕ側と逆側の端面に当接する変位規制フランジ３０が設けられ、ゴム状弾性部材２５の突部３１Ａが変位規制フランジ３０の上面３０ａに対して、当接可能な軸方向の隙間ｄ２をもって対峙する構成とされている。このため、衝撃の入力時に変位規制フランジ３０の上面３０ａがゴム状弾性部材２５の突部３１Ａに当接することにより、上方に跳ね上がろうとするシート本体１０−ａの変位を弾性的に規制することができる。
【００３５】
また、この実施形態に係るシート支持部構造では、ゴム状弾性部材２５の外周部を保持する外筒２３が設けられ、外筒２３の内向きフランジ２３ａと外向きフランジ２３ｂが突部３１，３１Ａよりも軸方向内側領域を支持するようにゴム状弾性部材２５に加硫接着されている。このため、衝撃の入力時に、上フレームブロック１３Ｕの下面１３Ｕ−ａや変位規制フランジ３０の上面３０ａが突部３１，３１Ａに当接する際に、突部３１，３１Ａを軸方向に安定的に変形させることができるとともに、下フレームブロック１３Ｌに対する上フレームブロック１３Ｕや変位規制フランジ３０の相対変位を確実に規制することができる。
【００３６】
なお、この発明は上記の実施形態に限定されるものではなく、その要旨を逸脱しない範囲で種々の設計変更が可能である。例えば、上記の実施形態においては、可動レール側部材（下フレームブロック１３Ｌ）にゴム状弾性部材２５の外周部が固定され、シート本体側部材（上フレームブロック１３Ｕ）にゴム状弾性部材２５の内側の内筒２４が固定されているが、ゴム状弾性部材２５の外周部をシート本体側部材に固定し、ゴム状弾性部材２５の内側の内筒２４を可動レール側部材に固定するようにしても良い。また、振動吸収体（防振ブロック１４）の設置部位も、上フレームブロック１３Ｕと下フレームブロック１３Ｌの間に限らず、例えば、下フレームブロック１３Ｌと可動レール１７の間に介装するようにしても良い。
また、上記の実施形態においては、車両の二列目のシートを例に説明したが、支持部構造を適用するシートは三列目のシートや一列目のシートであっても良い。
【符号の説明】
【００３７】
３…フロア部
１０…シート
１０−ａ…シート本体
１３Ｕ…上フレームブロック(シート本体側部材，第１の部材)
１３Ｌ…下フレームブロック(可動レール側部材，第２の部材)
１４…防振ブロック(振動吸収体)
１５…固定レール
１７…可動レール
２３…外筒
２４…内筒
２５…ゴム状弾性部材
２７…ボルト（締結部材）
２９…ウェルドナット（締結部材）
３０…変位規制フランジ（フランジ部，締結部材，第１の部材）
３１，３１Ａ…突部
ｄ１，ｄ２…隙間
【図１】
0006035354.tif 000002
【図２】
0006035354.tif 000003
【図３】
0006035354.tif 000004
【図４】
0006035354.tif 000005
【図５】
0006035354.tif 000006